(57)【特許請求の範囲】
【請求項１】
斜面の上方または下方へ搬送物を搬送するベルトコンベヤ装置であって、
下ベルトと、
前記下ベルトのキャリア側に対面する上ベルトと、
前記下ベルトのキャリア側を下から支持するキャリアアイドラと、
前記上ベルトのキャリア側を上から押さえる押えアイドラと、
水平軸周りに回動可能な回動軸と、
前記回動軸に上端が取り付けられたアームと、を備え、
前記キャリアアイドラは、前記下ベルトの幅方向中央側を支持する第１センターローラと、前記下ベルトの幅方向両側を支持する左右一対の第１サイドローラと、を有しており、
前記押えアイドラは、前記上ベルトの幅方向中央側を押さえる第２センターローラと、前記上ベルトの幅方向両側を押さえる左右一対の第２サイドローラと、を有していて、
前記第２センターローラは、前記アームの下端に取り付けられていて、
前記第２センターローラおよび前記アームは、自重により前記上ベルトのキャリア側において当該上ベルトの幅方向中央部を押圧し、
前記第２サイドローラは、上下に揺動可能なサイドアームに回転可能に設置されているとともに、付勢手段により前記上ベルトのキャリア側へ向けて付勢されていて、
前記付勢手段は、前記サイドアームの先端側に下端が固定されていて、前記サイドアームを介して前記第２サイドローラを前記上ベルトのキャリア側に向けて付勢するばねを備えており、
前記下ベルトと前記上ベルトの間で前記搬送物を挟持して搬送することを特徴とするベルトコンベヤ装置。
【請求項２】
前記下ベルトの幅方向の端部と前記上ベルトの幅方向の端部は、上下に重ね合わされており、
前記第１サイドローラは、前記下ベルトの幅方向の端部を下から支持しており、
前記第２サイドローラは、前記上ベルトの幅方向の端部を上から押さえていることを特徴とする請求項１に記載のベルトコンベヤ装置。
【請求項３】
前記第１サイドローラは、ベルト幅方向外側へ向かうにつれて上方に位置するように傾斜しており、
右側の前記第２サイドローラは、右側の前記第１サイドローラと平行に配置されており、
左側の前記第２サイドローラは、左側の前記第２サイドローラと平行に配置されていることを特徴とする請求項１または請求項２に記載のベルトコンベヤ装置。
【請求項４】
前記第１サイドローラの軸方向の長さは、前記第２サイドローラの軸方向の長さよりも大きいことを特徴とする請求項１乃至請求項３のいずれか一項に記載のベルトコンベヤ装置。
【請求項５】
前記キャリアアイドラと前記押えアイドラは、搬送方向に沿って交互に配置されていることを特徴とする請求項１乃至請求項４のいずれか一項に記載のベルトコンベヤ装置。
【発明の詳細な説明】
【技術分野】
【０００１】
本発明は、ベルトコンベヤ装置に関する。
【背景技術】
【０００２】
ダムの建設現場等において、斜面の上方から下方へコンクリート等の搬送物を搬送する搬送装置が開発されている。この種の搬送装置としては、例えば特許文献１に記載のものがある。
【０００３】
特許文献１の搬送装置は、螺旋状の羽根が内周面に取り付けられた搬送管を、回転可能な状態で斜面に沿って設置し、搬送管内にコンクリート等を流下させて、斜面の上方から下方へコンクリート等を搬送するものである。
【先行技術文献】
【特許文献】
【０００４】
【特許文献１】特開２００６−９４３２号公報
【発明の概要】
【発明が解決しようとする課題】
【０００５】
特許文献１の搬送装置では、コンクリート等が回転状態の羽根に衝突しながら流下するため、衝突時の衝撃により材料分離が発生し、良好な品質を保持したままコンクリート等を搬送するのが困難であった。
【０００６】
本発明は、このような観点から創案されたものであり、良好な品質を保持したまま搬送物を搬送できるベルトコンベア装置を提供することを課題とする。
【課題を解決するための手段】
【０００７】
前記の課題を解決するために、本発明に係るベルトコンベヤ装置は、斜面の上方または下方へ搬送物を搬送する装置であり、下ベルトと、前記下ベルトのキャリア側に対面する上ベルトと、前記下ベルトのキャリア側を下から支持するキャリアアイドラと、前記上ベルトのキャリア側を上から押さえる押えアイドラと、水平軸周りに回動可能な回動軸と、前記回動軸に上端が取り付けられたアームと、を備えている。前記キャリアアイドラは、前記下ベルトの幅方向中央側を支持する第１センターローラと、前記下ベルトの幅方向両側を支持する左右一対の第１サイドローラと、を有しており、前記押えアイドラは、前記上ベルトの幅方向中央側を押さえる第２センターローラと、前記上ベルトの幅方向両側を押さえる左右一対の第２サイドローラと、を有している。前記第２センターローラは、前記アームの下端に取り付けられていて、前記第２センターローラおよび前記アームは、自重により前記上ベルトのキャリア側において当該上ベルトの幅方向中央部を押圧し、前記第２サイドローラは、上下に揺動可能なサイドアームに回転可能に設置されているとともに、付勢手段により前記上ベルトのキャリア側へ向けて付勢されていて、前記付勢手段は、前記サイドアームの先端側に下端が固定されていて、前記サイドアームを介して前記第２サイドローラを前記上ベルトのキャリア側に向けて付勢するばねを備えており、前記下ベルトと前記上ベルトの間で前記搬送物を挟持して搬送する。
【０００８】
本発明によれば、上下のベルトの間で搬送物を挟持して搬送するため、搬送物に衝撃を与えることなく搬送できる。これにより、例えば搬送物がコンクリートやＣＳＧ等である場合には、材料分離を防止することが可能となり、良好な品質を保持したまま搬送物を搬送できる。
【０００９】
また、下ベルトおよび上ベルトを幅方向に亘ってバランスよく支持することできるため、上下のベルトの間に搬送物を確実に挟持することができる。
また、第２センターローラおよびアームの自重を利用して上ベルトを押圧できるため、上下のベルトの間に搬送物を確実に挟持することができる。また、搬送物の厚みが変化した場合であっても、回動軸を基点にアームが回転するため、第２センターローラが搬送物に追従して上ベルトを好適に押圧することができる。
【００１０】
また、ばねの付勢力を利用して第２サイドローラが上ベルトを押圧するため、上下のベルトの間に搬送物を確実に挟持することができる。また、搬送物の厚み（高さ）が変化した場合であっても、第２サイドローラが搬送物に追従して上ベルトを好適に押圧することができる。
【００１２】
また、前記下ベルトの幅方向の端部と前記上ベルトの幅方向の端部は、上下に重ね合わされていることが好ましい。この場合、前記第１サイドローラは、前記下ベルトの幅方向の端部を下から支持し、前記第２サイドローラは、前記上ベルトの幅方向の端部を上から押さえるように構成するとよい。
このようにすると、ベルトの幅方向外側に搬送物がこぼれ難くなる。
【００１３】
また、前記第１サイドローラは、ベルト幅方向外側へ向かうにつれて上方に位置するように傾斜していることが好ましい。この場合、右側の前記第２サイドローラは、右側の前記第１サイドローラと平行に配置するとよい。一方、左側の前記第２サイドローラは、左側の前記第２サイドローラと平行に配置するとよい。
このようにすると、ベルトの幅方向外側に搬送物がこぼれ難くなる。
【００１４】
また、前記第１サイドローラの軸方向の長さは、前記第２サイドローラの軸方向の長さよりも大きいことが好ましい。
このようにすると、下向きの荷重（押えアイドラおよび搬送物の重量、付勢手段の付勢力等）を支える第１サイドローラと下ベルトとの接触面積が増大するため、耐荷重性を向上させることができる。
【００１５】
また、前記キャリアアイドラと前記押えアイドラは、搬送方向に沿って交互に配置されていることが好ましい。
このようにすると、搬送方向に亘ってベルトと搬送物を確実に密着させることができる。ちなみに、キャリアアイドラと押えアイドラが搬送方向に沿って同列に配置されると、各列の間において上下のベルトを相手側のベルトへ向けて押し込む力が不足し、上下のベルトの間に異物（例えば小石等）が入り込んで挟まりやすくなる虞がある。これに対し、本発明によれば、キャリアアイドラと押えアイドラが上下のベルトを交互に押し込むため、上下のベルトを相手側のベルトへ向けて押し込む力が搬送方向に亘って好適に確保される。これにより、上下のベルトの間に異物が入り込んで挟まるのを抑制することができる。また、本発明によれば、キャリアアイドラと押えアイドラが交互に配置されるため、上下のベルトはキャリアアイドラや押えアイドラを通過する際に、押えアイドラまたはキャリアアイドラのない方へ膨らむ（撓む）ことが可能となる。これにより、上下のベルトの間に異物が入り込んだ場合であっても、上下のベルトが押えアイドラまたはキャリアアイドラのない方へ膨らみ、異物を搬送方向に沿ってスムーズに移動させることが可能となり、上下のベルトに負荷がかかり難くなる。
【発明の効果】
【００１６】
本発明に係るベルトコンベヤ装置によれば、良好な品質を保持したまま搬送物を搬送できる。
【図面の簡単な説明】
【００１７】
【図１】本発明の実施形態に係るベルトコンベヤ装置を示す側断面図である。
【図２】上部フレームユニットを示す側断面図である。
【図３】図２のＩＩＩ−ＩＩＩ線断面図である。
【図４】下部フレームユニットを示す側断面図である。
【図５】図４のＶ−Ｖ線断面図である。
【図６】中間フレームユニットを示す側断面図である。
【図７】図６のＶＩＩ−ＶＩＩ線断面図である。
【図８】図７の要部拡大断面図である。
【図９】図４のＩＸ−ＩＸ線断面図である。
【図１０】図４のＸ−Ｘ線断面図である。
【図１１】キャリアアイドラおよび押えアイドラの配列を模式的に示す平面図である。
【図１２】ベルトコンベヤ装置を短縮した状態を示す側断面図である。
【発明を実施するための形態】
【００１８】
本発明の実施形態に係るベルトコンベヤ装置について、図面を参照して詳細に説明する。説明において、同一の要素には同一の符号を付し、重複する説明は省略する。
なお、本実施形態では、ダムサイトの法面に沿って搬送物を搬送する場合を例にして説明するが、本発明のベルトコンベヤ装置の用途を限定する趣旨ではない。以下の説明において、「上下」、「前後」、「左右」方向とは各図に示した方向である。
【００１９】
図１に示すように、本実施形態に係るベルトコンベヤ装置１００は、フレーム１と、フレーム１を下から支持する複数の架台２，２…と、フレーム１内に回転可能に支持される複数のプーリ３Ａ〜３Ｆ，４Ａ〜４Ｄと、プーリ３Ａ〜３Ｆに案内される下ベルト５と、プーリ４Ａ〜４Ｄに案内される上ベルト６と、下ベルト５および上ベルト６を走行自在に支持するベルト支持機構７とを備えている。
【００２０】
ベルトコンベヤ装置１００は、例えばコンクリートやＣＳＧ（Cemented Sand and Gravel）等の搬送物Ｐを法面（斜面）Ｇ１の上方から下方へ搬送する場合の他、堀削した土砂等の搬送物Ｐを法面Ｇ１の下方から上方へ搬送する場合等に使用される。なお、符号Ｇ２は法肩を示し、符号Ｇ３は法尻を示している。
【００２１】
＜フレーム＞
フレーム１は、法肩Ｇ２上から法面Ｇ１の上部付近に亘って設置される上部フレームユニット１Ａと、法尻Ｇ３の上方に設置される下部フレームユニット１Ｂと、上部フレームユニット１Ａと下部フレームユニット１Ｂとの間において法面Ｇ１の上方に設置される複数の中間フレームユニット１Ｃ，１Ｃ…とを備えている。
【００２２】
＜上部フレームユニット＞
図２に示すように、上部フレームユニット１Ａは、法肩Ｇ２上に設置される土台１０と、土台１０の後部に立設された後部フレーム１１と、土台１０の前部から法面Ｇ１側へ張り出す前部フレーム１２とを有している。
【００２３】
後部フレーム１１は、プーリ３Ａ，３Ｆ、下ベルト５を駆動させる駆動装置Ｍ等を支持する枠体である。後部フレーム１１は、例えば形鋼等を組み合わせて構成されている。後部フレーム１１には、下ベルト５の表面に摺接するベルトクリーナー１１ａが設置されている。ベルトクリーナー１１ａは、下ベルト５の表面に残存した搬送物Ｐを擦り落とす機能を備える。
【００２４】
前部フレーム１２は、プーリ３Ｃ，３Ｅ，４Ａ，４Ｃ，４Ｄ、上テークアップ装置８、下テークアップ装置９、上ベルト６を駆動させる図示せぬ駆動装置等を支持する枠体である。前部フレーム１２は、底フレーム１２ａと、複数の縦材１２ｂ，１２ｂ…と、上部カバー１２ｃと、上支持フレーム１２ｄと、下支持フレーム１２ｅとで構成されている。
【００２５】
底フレーム１２ａは、土台１０から前方へ向けて水平に張り出した後、下り勾配で傾斜している。図示は省略するが、底フレーム１２ａは平面視梯子状を呈している。底フレーム１２ａの下端は、最も上側に位置する架台２に固定されている。
【００２６】
本実施形態の縦材１２ｂは、底フレーム１２ａの左右の端部に５つずつ設置されている。前後に並ぶ５つの縦材１２ｂ，１２ｂ…は、相互に間隔を空けて離間している。後側から３つ目の縦材１２ｂには、上ベルト６の表面に摺接するベルトクリーナー１２ｆが設置されている。ベルトクリーナー１２ｆは、上ベルト６の表面に残存した搬送物Ｐを擦り落とす機能を備える。左右の縦材１２ｂの外側には、足場１２ｇ，１２ｇが設置されている（図３参照）。
【００２７】
上部カバー１２ｃは、上ベルト６を上方から覆うものであり、縦材１２ｂ，１２ｂ…の上端同士の間に架設されている。上部カバー１２ｃは、雪や雨等から搬送物Ｐを保護する機能を備える。
【００２８】
上支持フレーム１２ｄは、最も上側に位置する架台２から前方へ向けて水平に張り出している。上支持フレーム１２ｄ上には、上ベルト６の張力を調節するための上テークアップ装置８が設置されている。上支持フレーム１２ｄの前側の上面には、繋止材１２ｈが立設されている。繋止材１２ｈと架台２は、斜めに張られた吊り材１２ｉにより連結されている。すなわち、上支持フレーム１２ｄの先端は、吊り材１２ｉを介して架台２に吊下げ支持されている。
【００２９】
下支持フレーム１２ｅは、底フレーム１２ａから最も上側に位置する架台２へ向けて斜め下方に延出している。下支持フレーム１２ｅには、下ベルト５の張力を調節するための下テークアップ装置９が設置されている。なお、上テークアップ装置８および下テークアップ装置９の設置箇所は、実施形態のものに限定されることなく適宜変更してよい。
【００３０】
＜下部フレームユニット＞
図４、図５に示すように、下部フレームユニット１Ｂは、複数の脚部１３ｂ，１３ｂ…と、支持台１３ｃと、シュート１３ｄと、複数の下部ブレース１３ｅ，１３ｅ…と、ホッパ支持枠１３ｆと、ホッパ１３ｇと、左右一対の落下防止材１３ｈ，１３ｈとを有している。
【００３１】
なお、下部フレームユニット１Ｂの下方には、前後および左右に離間する４つの補助支柱１３ａ，１３ａが設置されている。補助支柱１３ａは、法尻Ｇ３上に立設されていて、下部フレームユニット１Ｂに対して着脱可能になっている。下部フレームユニット１Ｂの移設先において、法尻Ｇ３に対する下部フレームユニット１Ｂの高さ位置を調節する場合には、補助支柱１３ａの長さを調節したり、補助支柱１３ａを撤去したりすればよい。
【００３２】
脚部１３ｂは、補助支柱１３ａの上に設置されている。
【００３３】
支持台１３ｃは、脚部１３ｂの上に設置されている。支持台１３ｃには、上方から搬送されてきた搬送物Ｐを落下させるための落下孔１３ｉが形成されている。落下孔１３ｉの直上には、下ベルト５の下側折返部５ｂが位置している。落下孔１３ｉから搬送物Ｐを落下させる際には、落下孔１３ｉの下方に下側搬入用ベルトコンベヤ装置１２０を位置させる。
【００３４】
シュート１３ｄは、コンクリート等を上から下に搬送する際に使用され、下ベルト５から落下するコンクリート等の搬送物Ｐを案内するものである。シュート１３ｄは、ホッパ支持枠１３ｆの前側に設置されていて、下ベルト５の下側折返部５ｂを左右および前から囲んでいる。シュート１３ｄの下部は、落下孔１３ｉ内に挿入されている。
【００３５】
下部ブレース１３ｅは、脚部１３ｂと支持台１３ｃとの連結部を補強するものである。下部ブレース１３ｅは、脚部１３ｂと支持台１３ｃとの間に斜めに設置されている。
【００３６】
ホッパ支持枠１３ｆは、例えば形鋼等を組み合わせて構成された四角枠状の枠体である。ホッパ支持枠１３ｆは、支持台１３ｃ上において、落下孔１３ｉよりも後側に立設されている。
【００３７】
ホッパ１３ｇは、掘削した土砂等を下から上に搬送する際に使用されるものであり、ホッパ支持枠１３ｆの上部の内側に設置されている。ホッパ１３ｇは、角錐台状を呈する。ホッパ１３ｇを使用する際には、上部開口１３ｊの上方に下側搬出用ベルトコンベヤ装置１３０の折返部１３０ａを位置させる。ホッパ１３ｇの下部開口１３ｋは、下ベルト５の上方に位置している。
【００３８】
落下防止材１３ｈは、コンクリート等を上から下に搬送する際に使用されるとともに、掘削した土砂等を下から上に搬送する際に使用されるものである。落下防止材１３ｈは、正面断面視にて、ホッパ１３ｇの下部開口１３ｋの左右外側から下ベルト５のキャリア側付近に亘って設置されている。落下防止材１３ｈは、側断面視にて、上ベルト６の下側折返部６ｂから下ベルト５の下側折返部５ｂ付近に亘って延在している。落下防止材１３ｈの前縁は、上ベルト６の下側折返部６ｂ（第２テールプーリ４Ｂ）の形状に合わせて円弧状に切り欠かれている。
【００３９】
＜中間フレームユニット＞
図６に示すように、隣り合う中間フレームユニット１Ｃ，１Ｃは、連結ユニット１Ｄを介して相互に着脱可能に連結されている。なお、上部フレームユニット１Ａと中間フレームユニット１Ｃ、下部フレームユニット１Ｂと中間フレームユニット１Ｃも、連結ユニット１Ｄを介して相互に着脱可能に連結されている（図２、図４参照）。フレーム１の長さを調節する場合には、中間フレームユニット１Ｃの数を増減すればよい。例えばフレーム１の長さを短縮する場合には、下部フレームユニット１Ｂに接続される下側の連結ユニット１Ｄと中間フレームユニット１Ｃを撤去する撤去工程と、撤去工程後に最も下側に位置する連結ユニット１Ｄに下部フレームユニット１Ｂを接続する接続工程と、を交互に繰り返すことにより、法尻Ｇ３の標高に合わせて下部フレームユニット１Ｂを移設させることができる。
【００４０】
中間フレームユニット１Ｃは、下弦材１４ａと、上弦材１４ｂと、複数の垂直材１４ｃ，１４ｃ…と、複数の支持材１４ｎ，１４ｎ…と、支持ビーム１４ｄと、複数の斜材１４ｅ，１４ｅ…と、複数の下横架材１４ｆ，１４ｆ…と、複数の上横架材１４ｇ，１４ｇ…と、落鉱防止材１４ｈ（図７参照）と、中間カバー１４ｉとを有している。本実施形態では、下弦材１４ａ、上弦材１４ｂ、垂直材１４ｃ、斜材１４ｅにより平面トラスが形成されている。なお、中間フレームユニット１Ｃの左右の端部は、風が通り抜けられるように開口している。
【００４１】
下弦材１４ａは、搬送方向に沿って延設されている。下弦材１４ａは、左右に相互に離間して一対設置されている。
【００４２】
上弦材１４ｂは、搬送方向に沿って延設されている。上弦材１４ｂは、下弦材１４ａの上方に離間していて、下弦材１４ａと平行に設置されている。上弦材１４ｂは、左右に相互に離間して一対設置されている。
【００４３】
垂直材１４ｃ，１４ｃ…は、搬送方向に直交するように設置されている。垂直材１４ｃは、下弦材１４ａと上弦材１４ｂとを連結していて、下弦材１４ａおよび上弦材１４ｂに対して直交するように設置されている。垂直材１４ｃは、下弦材１４ａおよび上弦材１４ｂの外側面に固定されている。
【００４４】
支持材１４ｎは、隣り合う垂直材１４ｃ，１４ｃの間において、搬送方向に直交するように設置されている。支持材１４ｎは、垂直材１４ｃよりも短尺に形成されている。支持材１４ｎは、上弦材１４ｂと斜材１４ｅとを連結していて、上弦材１４ｂに対して直交するように設置されている。支持材１４ｎは、上弦材１４ｂの外側面および斜材１４ｅの前側面又は後側面に固定されている。
【００４５】
支持ビーム１４ｄは、搬送方向に沿って延設されている。支持ビーム１４ｄは、左右に相互に離間して一対設置されている。支持ビーム１４ｄは、キャリアアイドラ７０や第１リターンローラ７１を支持するものである。支持ビーム１４ｄは、下弦材１４ａ寄りの位置において、取付ブラケット１４ｊを介して垂直材１４ｃの内側面に固定されている。
【００４６】
斜材１４ｅは、隣り合う垂直材１４ｃ，１４ｃの間において、下弦材１４ａと上弦材１４ｂとを斜めに繋いでいる。
【００４７】
下横架材１４ｆは、左右方向に沿って延設されている。下横架材１４ｆは、下弦材１４ａの下面に接していて、左右の垂直材１４ｃ，１４ｃの下端同士を繋いでいる。下横架材１４ｆの左右両側には、足場１４ｋ，１４ｋが設置されている。
【００４８】
上横架材１４ｇは、左右方向に沿って延設されている。上横架材１４ｇは、上弦材１４ｂの上面に接していて、左右の垂直材１４ｃ，１４ｃの上端同士を繋いでいる。
【００４９】
落鉱防止材１４ｈは、法面Ｇ１上への搬送物Ｐの落下を防止するものである。落鉱防止材１４ｈは、鋼板から成る。落鉱防止材１４ｈは、下横架材１４ｆの上面に設置されている。落鉱防止材１４ｈの左右の端部は、斜め上方に折曲されている。これにより、落鉱防止材１４ｈ上から搬送物Ｐが左右にこぼれ難くなっている。落鉱防止材１４ｈの折曲部位は、下弦材１４ａに支持されている。
【００５０】
中間カバー１４ｉは、下ベルト５および上ベルト６を上方から覆うものであり、上横架材１４ｇ，１４ｇ…の上端同士の間に架設されている。中間カバー１４ｉは、雪や雨から搬送物Ｐを保護する機能を備える。中間カバー１４ｉは、デッキプレートから成る。
【００５１】
＜架台＞
図１に示すように、架台２は、法面Ｇ１から上方に離間した位置にフレーム１を支持するものである。架台２は、法面Ｇ１に沿って相互に離間して複数設置されていて、連結ユニット１Ｄと上下で対応する位置に設置されている。
【００５２】
図９に示すように、架台２は、法面Ｇ１に設置される左右一対の基礎２０，２０と、基礎２０，２０に立設される左右一対の架台支柱２１，２１と、左右の架台支柱２１，２１に水平に架設される調節横材２２と、基礎２０，２０と調節横材２２の中央側とを繋ぐ左右一対の架台ブレース２３，２３とを有している。調節横材２２は、フレーム１に連結されるものである。フレーム１の上下位置を調節する場合には、架台支柱２１に対する調節横材２２の上下位置を調節すればよい。なお、一対の架台支柱２１，２１を単一の基礎に立設する構成にしてもよい。
【００５３】
図４、図１０に示すように、最も下側に位置する架台２は、上記の構成に加えて、左右一対の吊り用支柱２４，２４と、吊り用横材２５と、左右一対の吊り用ブレース２６，２６と、２つの吊り材２７，２７とをさらに有している。
【００５４】
吊り用支柱２４は、架台支柱２１の上端に立設されている。吊り用横材２５は、吊り用支柱２４，２４の上端同士の間に水平に架設されている。吊り用ブレース２６は、吊り用支柱２４，２４の下端と吊り用横材２５の中央側とを繋いでいる。
【００５５】
図４に示すように、一方の吊り材２７の一端は、吊り用横材２５の上面に取り付けられた繋止部材２８に繋ぎ止めされていて、一方の吊り材２７の他端は、下部フレームユニット１Ｂの上部に取り付けられた繋止部材１３ｍに繋ぎ止されている。一方の吊り材２７は、吊り用横材２５と下部フレームユニット１Ｂとの間に斜めに張られていて、下部フレームユニット１Ｂを吊下げ支持している。
【００５６】
他方の吊り材２７の一端は、吊り用横材２５の上面に取り付けられた繋止部材２８に繋ぎ止めされていて、他方の吊り材２７の他端は、中間フレームユニット１Ｃの上部に取り付けられた繋止部材１４ｍに繋ぎ止めされている。他方の吊り材２７は、吊り用横材２５と中間フレームユニット１Ｃとの間に斜めに張られていて、中間フレームユニット１Ｃを吊下げ支持している。
【００５７】
＜プーリ＞
図１に示すドライブプーリ３Ａ、第１テールプーリ３Ｂ、第１ベンドプーリ３Ｃ、第１テンションプーリ３Ｄ、第２ベンドプーリ３Ｅ、スナッププーリ３Ｆは、下ベルト５を案内するものである。ヘッドプーリ４Ａ、第２テールプーリ４Ｂ、第３ベンドプーリ４Ｃ、第２テンションプーリ４Ｄは、上ベルト６を案内するものである。
【００５８】
ドライブプーリ３Ａは、駆動装置Ｍの駆動力により回転し、下ベルト５を駆動させるものである。第１テンションプーリ３Ｄは、下テークアップ装置９に取り付けられていて、斜め下方または斜め上方に移動可能になっている。第１テンションプーリ３Ｄは、下ベルト５に張力を付与するものである。下ベルト５の張力を調節する場合には、第１テンションプーリ３Ｄを斜め下方または斜め上方に移動させればよい。
【００５９】
ヘッドプーリ４Ａは、図示せぬ駆動装置の駆動力により回転し、上ベルト６を駆動させるものである。第２テンションプーリ４Ｄは、上テークアップ装置８に前後に移動可能に取り付けられている。第２テンションプーリ４Ｄは、上ベルト６に張力を付与するものである。上ベルト６の張力を調節する場合には、第２テンションプーリ４Ｄを前後に移動させればよい。
【００６０】
＜下ベルト、上ベルト＞
下ベルト５は、ドライブプーリ３Ａと第１テールプーリ３Ｂとの間に無端状に掛け渡されている。上ベルト６は、ヘッドプーリ４Ａと第２テールプーリ４Ｂとの間に無端状に掛け渡されている。下ベルト５の上側折返部５ａは、上ベルト６の上側折返部６ａよりも後側に位置している。下ベルト５の下側折返部５ｂは、上ベルト６の下側折返部６ｂよりも前側に位置している。上ベルト６は、上部フレームユニット１Ａの途中から下部フレームユニット１Ｂの後部付近に亘って、下ベルト５の傾斜部位のキャリア側に対面している。
【００６１】
なお、法肩Ｇ２には、上側搬入用ベルトコンベヤ装置１１０が設置されている。上側搬入用ベルトコンベヤ装置１１０は、下ベルト５の上側折返部５ａと上ベルト６の上側折返部６ａとの間において、下ベルト５にコンクリート等の搬送物Ｐを供給するものである。上側搬入用ベルトコンベヤ装置１１０には、当該装置１１０に搬送物Ｐを定量供給するための図示せぬフィーダーが付設されている。法尻Ｇ３には、下側搬入用ベルトコンベヤ装置１２０が設置されている。下側搬入用ベルトコンベヤ装置１２０は、下ベルト５から投下される搬送物Ｐを所定位置まで搬送するものである。
【００６２】
また、法尻Ｇ３には、下側搬出用ベルトコンベヤ装置１３０が設置されている。下側搬出用ベルトコンベヤ装置１３０は、下ベルト５の下側折返部５ｂと上ベルト６の下側折返部６ｂとの間において、下ベルト５に掘削した土砂等の搬送物Ｐを供給するものである。下側搬出用ベルトコンベヤ装置１３０には、当該装置１３０に搬送物Ｐを定量供給するための図示せぬフィーダーが付設されている。法肩Ｇ２には、上側搬出用ベルトコンベヤ装置１４０が設置されている。上側搬出用ベルトコンベヤ装置１４０は、下ベルト５から投下される搬送物Ｐを所定位置まで搬送するものである。
【００６３】
図７、図８に示すように、下ベルト５および上ベルト６は、搬送物Ｐを上下に挟持して搬送するものである。下ベルト５と上ベルト６の幅寸法は、同一である。下ベルト５の幅方向の一端５ｃと上ベルト６の幅方向の一端６ｃは、上下に重ね合わされて密着している。下ベルト５の幅方向の他端５ｄと上ベルト６の幅方向の他端６ｄは、上下に重ね合わされて密着している。なお、上ベルト６は、搬送物Ｐに接するキャリア側が下側に位置していて、リターン側が上側に位置している。
【００６４】
＜ベルト支持機構＞
ベルト支持機構７は、中間フレームユニット１Ｃ内において、下ベルト５および上ベルト６を走行自在に支持する機構である。ベルト支持機構７は、キャリアアイドラ７０と、第１リターンローラ７１と、押えアイドラ７２と、付勢手段７３と、第２リターンローラ７４とを備えている。
【００６５】
＜キャリアアイドラ＞
図８に示すように、キャリアアイドラ７０は、下ベルト５のキャリア側を下から支持するものである。キャリアアイドラ７０は、保持台７０ａと、４つの回転支持ブラケット７０ｂ，７０ｂ…と、第１センターローラ７０ｃと、左右一対の第１サイドローラ７０ｄ，７０ｄとを有している。
【００６６】
保持台７０ａは、左右方向に沿って延設されている。保持台７０ａの左右の端部は、左右の支持ビーム１４ｄ，１４ｄの上面に固定されている。
【００６７】
４つの回転支持ブラケット７０ｂ，７０ｂ…は、保持台７０ａ上において、左右に離間して設置されている。外側の回転支持ブラケット７０ｂ，７０ｂは、左右対称形状を呈していて、保持台７０ａから上方へ延びた後、相互に近付くようにベルト幅方向内側に傾斜している。内側の回転支持ブラケット７０ｂ，７０ｂは、左右対称形状を呈していて、略逆Ｕ字状（略逆Ｖ字状）に折曲されている。
【００６８】
第１センターローラ７０ｃは、下ベルト５のキャリア側において下ベルト５の幅方向中央側を支持するものであり、円筒状または円柱状を呈する。第１センターローラ７０ｃは、内側の回転支持ブラケット７０ｂ，７０ｂの間において、水平かつ回転可能に設置されている。
【００６９】
左右一対の第１サイドローラ７０ｄ，７０ｄは、下ベルト５のキャリア側において下ベルト５の幅方向両側を支持するものであり、円筒状または円柱状を呈する。左側の第１サイドローラ７０ｄは、下ベルト５のキャリア側において下ベルト５の幅方向の一端５ｃを下から支持している。右側の第１サイドローラ７０ｄは、下ベルト５のキャリア側において下ベルト５の幅方向の他端５ｄを下から支持している。左右の第１サイドローラ７０ｄ，７０ｄは、回転支持ブラケット７０ｂ，７０ｂの間において、回転可能に設置されている。
【００７０】
本実施形態の第１サイドローラ７０ｄの軸方向の長さＬ２は、第１センターローラ７０ｃの軸方向の長さＬ１と同一である。第１サイドローラ７０ｄは、ベルト幅方向外側へ向かうにつれて上方に位置するように傾斜している。第１サイドローラ７０ｄの傾斜角度θ１は、特段限定されるものではないが、例えば水平面Ｈに対して１５°に設定されるのが好ましい。
【００７１】
なお、キャリアアイドラ７０は、下ベルト５と上ベルト６が対面する領域以外の領域（下ベルト５の上側および下側の領域）にも設置されている（図３、図５参照）。かかる領域の第１サイドローラ７０ｄの傾斜角度θ２は、下ベルト５と上ベルト６が対面する領域の第１サイドローラ７０ｄの傾斜角度θ１よりも大きく設定されるのが好ましく、例えば水平面Ｈに対して２５°に設定されるのが好ましい。これにより、下ベルト５と上ベルト６が対面する領域以外の領域の搬送量（搬送断面積）を増大させることができる。
【００７２】
＜第１リターンローラ＞
図７に示すように、第１リターンローラ７１は、下ベルト５のリターン側を下から支持するものであり、円筒状または円柱状を呈する。第１リターンローラ７１は、左右の支持ビーム１４ｄ，１４ｄの下面に垂設された回転支持ブラケット７１ａ，７１ａの間において、水平かつ回転可能に設置されている。回転支持ブラケット７１ａは、所定形状に折曲されている。
【００７３】
＜押えアイドラ＞
図８に示すように、押えアイドラ７２は、上ベルト６のキャリア側を上から押さえるものである。押えアイドラ７２は、回動軸７２ａと、左右一対のセンターアーム７２ｂ，７２ｂと、第２センターローラ７２ｃと、左右一対の揺動支持ブラケット７２ｄ，７２ｄと、左右一対のサイドアーム７２ｅ，７２ｅと、左右一対の第２サイドローラ７２ｆ，７２ｆとを有している。
【００７４】
回動軸７２ａは、左右方向に沿って延設されていて、円筒状または円柱状を呈する。回動軸７２ａは、左右の垂直材１４ｃ，１４ｃの間において、水平軸周りに回動可能に設置されている。
【００７５】
左右一対のセンターアーム７２ｂ，７２ｂは、回動軸７２ａの中央側に取り付けられて、左右に相互に離間している。センターアーム７２ｂは、回動軸７２ａから前方かつ下方へ向けて延出している。センターアーム７２ｂの上端は、回動軸７２ａの外周面に固定されている。センターアーム７２ｂは、回動軸７２ａの回動に応じて上下に揺動（傾動）可能となっている。
【００７６】
第２センターローラ７２ｃは、上ベルト６のキャリア側において上ベルト６の幅方向中央側を押さえるものであり、円筒状または円柱状を呈する。第２センターローラ７２ｃは、左右のセンターアーム７２ｂ，７２ｂの間において、水平かつ回転可能に設置されている。第２センターローラ７２ｃは、第１センターローラ７０ｃと平行に設置されている。第２センターローラ７２ｃは、回動軸７２ａの回動に応じてセンターアーム７２ｂと一体的に上下に揺動（傾動）可能となっている。
【００７７】
第２センターローラ７２ｃおよびセンターアーム７２ｂは、自重により上ベルト６のキャリア側において上ベルト６の幅方向中央側を押圧している。すなわち、図示は省略するが、搬送物Ｐがないときには、第２センターローラ７２ｃおよびセンターアーム７２ｂは自重により下に揺動し、上ベルト６と下ベルト５の幅方向中央側が接触する。搬送物Ｐがあるときには、第２センターローラ７２ｃおよびセンターアーム７２ｂは上に揺動し、自重（下向きの荷重）で上ベルト６の幅方向中央側を押さえる。これにより、上ベルト６を下ベルト５に押し付けることができるとともに、搬送物Ｐを押し均すことができる。本実施形態では、第２センターローラ７２ｃの軸方向の長さＬ３は、第１センターローラ７０ｃの軸方向の長さＬ１と同一である。
【００７８】
揺動支持ブラケット７２ｄは、回動軸７２ａの下方において、垂直材１４ｃまたは支持材１４ｎの内側面に固定されている。
【００７９】
サイドアーム７２ｅは、揺動支持ブラケット７２ｄからベルト幅方向内側かつ斜め下へ向けて延出している。サイドアーム７２ｅは、ピン７２ｇを介して揺動支持ブラケット７２ｄに連結されていて、ピン軸周りに上下に揺動（傾動）可能となっている。
【００８０】
左右一対の第２サイドローラ７２ｆ，７２ｆは、上ベルト６のキャリア側において上ベルト６の幅方向両側を押さえるものであり、円筒状または円柱状を呈する。第２サイドローラ７２ｆは、サイドアーム７２ｅの下端に回転可能に設置されている。
【００８１】
左側の第２サイドローラ７２ｆは、上ベルト６のキャリア側において上ベルト６の幅方向の一端６ｃを上から押えていて、左側の第１サイドローラ７０ｄと平行に設置されている。左側の第１サイドローラ７０ｄの左端７０ｄ１と左側の第２サイドローラ７２ｆの左端７２ｆ１は、下ベルト５の幅方向の一端５ｃおよび上ベルト６の幅方向の一端６ｃよりもベルト幅方向外側に位置している。
【００８２】
右側の第２サイドローラ７２ｆは、上ベルト６のキャリア側において上ベルト６の幅方向の他端６ｄを上から押さえていて、右側の第１サイドローラ７０ｄと平行に設置されている。右側の第１サイドローラ７０ｄの右端７０ｄ２と右側の第２サイドローラ７２ｆの右端７２ｆ２は、下ベルト５の幅方向の他端５ｄおよび上ベルト６の幅方向の他端６ｄよりもベルト幅方向外側に位置している。本実施形態では、第１サイドローラ７０ｄの軸方向の長さＬ２は、第２サイドローラ７２ｆの軸方向の長さＬ４よりも大きく形成されている。
【００８３】
＜付勢手段＞
付勢手段７３は、第２サイドローラ７２ｆを上ベルト６のキャリア側（下ベルト５のキャリア側のベルト部に対面するベルト部）へ向けて付勢する手段である。付勢手段７３は、左右一対のばね受け材７３ａ，７３ａと、左右一対の固定ブラケット７３ｂ，７３ｂと、左右一対のばね７３ｃ，７３ｃとで構成されている。
【００８４】
ばね受け材７３ａは、揺動支持ブラケット７２ｄおよびサイドアーム７２ｅの上方において、垂直材１４ｃまたは支持材１４ｎの内側面からベルト幅方向内側に水平に張り出している。ばね受け材７３ａの基端は、垂直材１４ｃまたは支持材１４ｎの内側面に固定されている。
【００８５】
固定ブラケット７３ｂは、ばね受け材７３ａの先端側の下方において、サイドアーム７２ｅの先端付近に固定されている。
【００８６】
ばね７３ｃは、軸方向に伸縮自在な弾性部材である。ばね７３ｃの軸方向一端は、ばね受け材７３ａの下面に固定されていて、ばね７３ｃの軸方向他端は、固定ブラケット７３ｂの上面に固定されている。ばね７３ｃは、固定ブラケット７３ｂおよびサイドアーム７２ｅを介して、第２サイドローラ７２ｆを上ベルト６のキャリア側へ向けて付勢している。これにより、上ベルト６を下ベルト５に押し付けることができる。
【００８７】
＜第２リターンローラ＞
図７に示すように、第２リターンローラ７４は、上ベルト６のリターン側を下から支持するものであり、円筒状または円柱状を呈する。第２リターンローラ７４は、左右の上弦材１４ｂ，１４ｂの下面に垂設された回転支持ブラケット７４ａ，７４ａの間において、水平かつ回転可能に設置されている。回転支持ブラケット７４ａは、所定形状に折曲されている。
【００８８】
ここで、図１１を参照して、本実施形態のキャリアアイドラ７０と押えアイドラ７２の配列について説明する。本実施形態のキャリアアイドラ７０と押えアイドラ７２は、搬送方向に沿って交互に配置されている。第１センターローラ７０ｃと左右の第１サイドローラ７０ｄ，７０ｄは、ベルト幅方向に沿って並置されている。
【００８９】
押えアイドラ７２については、第２センターローラ７２ｃと左右の第２サイドローラ７２ｆ，７２ｆとがベルト幅方向に沿って並置される列と、左右の第２サイドローラ７２ｆ，７２ｆのみがベルト幅方向に沿って並置される列とが、搬送方向に沿って交互に配列されている。換言すると、第２センターローラ７２ｃと左右の第２サイドローラ７２ｆ，７２ｆとがベルト幅方向に沿って並置される列と、左右の第２サイドローラ７２ｆ，７２ｆのみがベルト幅方向に沿って並置される列との間に、キャリアアイドラ７０が配列されている。
【００９０】
本発明の実施形態に係るベルトコンベヤ装置１００は、基本的に以上のように構成されるものであり、次に、その作用効果について説明する。
【００９１】
本実施形態によれば、下ベルト５と上ベルト６の間に搬送物Ｐを挟持して搬送するため、搬送物Ｐに衝撃を与えることなく搬送できる。これにより、例えば搬送物ＰがコンクリートやＣＳＧ等である場合には、材料分離を防止することが可能となり、良好な品質を保持したまま搬送物Ｐを搬送できる。
【００９２】
本実施形態によれば、下ベルト５と上ベルト６の間に搬送物Ｐを挟持して搬送するため、法面Ｇ１が急勾配であったとしても、搬送物Ｐを支障なく搬送できる。
【００９３】
本実施形態によれば、第１センターローラ７０ｃと左右一対の第１サイドローラ７０ｄ，７０ｄにより、下ベルト５を幅方向に亘ってバランスよく支持することができる。また、第２センターローラ７２ｃと左右一対の第２サイドローラ７２ｆ，７２ｆにより、上ベルト６を幅方向に亘ってバランスよく支持することができる。これにより、下ベルト５および上ベルト６の間に搬送物Ｐを確実に挟持することができる。
【００９４】
本実施形態によれば、第２センターローラ７２ｃとセンターアーム７２ｂ，７２ｂは、回動軸７２ａの回動に応じて上下に揺動（傾動）可能となっている。これにより、第２センターローラ７２ｃおよびセンターアーム７２ｂ，７２ｂの自重を利用して上ベルト６を押圧できるため、下ベルト５および上ベルト６の間に搬送物Ｐを確実に挟持することができる。また、搬送物Ｐの厚み（高さ）が変化した場合であっても、回動軸７２ａを基点にセンターアーム７２ｂ，７２ｂが上下に揺動（傾動）するため、第２センターローラ７２ｃが搬送物Ｐに追従して上ベルト６を好適に押圧することができる。
【００９５】
本実施形態によれば、ばね７３ｃの付勢力を利用して第２サイドローラ７２ｆが上ベルト６を押圧するため、下ベルト５および上ベルト６の間に搬送物Ｐを確実に挟持することができる。また、搬送物Ｐの厚みが変化した場合であっても、第２サイドローラ７２ｆが搬送物Ｐに追従して上ベルト６を好適に押圧することができる。
【００９６】
本実施形態によれば、キャリアアイドラ７０と押えアイドラ７２は、搬送方向に沿って交互に配置されているため、下ベルト５および上ベルト６と搬送物Ｐを搬送方向に亘って確実に密着させることができる。
【００９７】
本実施形態によれば、キャリアアイドラ７０と押えアイドラ７２が下ベルト５と上ベルト６を交互に押し込むため、下ベルト５（上ベルト６）を上ベルト６（下ベルト５）へ向けて押し込む力が搬送方向に亘って好適に確保される。これにより、下ベルト５と上ベルト６の間に異物（例えば小石等）が入り込んで挟まるのを抑制することができる。
【００９８】
本実施形態によれば、キャリアアイドラ７０と押えアイドラ７２が交互に配置されるため、下ベルト５と上ベルト６はキャリアアイドラ７０や押えアイドラ７２を通過する際に、押えアイドラ７２またはキャリアアイドラ７０のない方へ膨らむ（撓む）ことが可能となる。これにより、下ベルト５と上ベルト６の間に異物が入り込んだ場合であっても、下ベルト５と上ベルト６が押えアイドラ７２またはキャリアアイドラ７０のない方へ膨らみ、異物を搬送方向に沿ってスムーズに移動させることが可能となり、下ベルト５と上ベルト６に負荷がかかり難くなる。
【００９９】
本実施形態によれば、左側の第１サイドローラ７０ｄおよび第２サイドローラ７２ｆにより、下ベルト５の幅方向の一端５ｃと上ベルト６の幅方向の一端６ｃを上下に重ね合わせて密着させることができる。また、右側の第１サイドローラ７０ｄおよび第２サイドローラ７２ｆにより、下ベルト５の幅方向の他端５ｄと上ベルト６の幅方向の他端６ｄを上下に重ね合わせて密着させることができる。これにより、下ベルト５と上ベルト６の幅方向外側に搬送物Ｐがこぼれ難くなる。
【０１００】
本実施形態によれば、左右の第１サイドローラ７０ｄ，７０ｄおよび第２サイドローラ７２ｆ，７２ｆがベルト幅方向外側へ向かうにつれて上方に位置するように傾斜しているため、下ベルト５と上ベルト６の幅方向外側に搬送物Ｐがこぼれ難くなる。
【０１０１】
本実施形態によれば、第１サイドローラ７０ｄの軸方向の長さＬ２は、第２サイドローラ７２ｆの軸方向の長さＬ４よりも大きいため、下向きの荷重（押えアイドラ７２および搬送物Ｐの重量、ばね７３ｃの付勢力等）を支える第１サイドローラ７０ｄと下ベルト５との接触面積が増大するため、耐荷重性を向上させることができる。
【０１０２】
本実施形態によれば、複数の中間フレームユニット１Ｃ，１Ｃ…が相互に着脱可能に連結されているため、工期に応じて中間フレームユニット１Ｃの数を増減して、フレーム１の長さを延長または短縮できる。例えば、図１２に示すように法尻Ｇ３の標高が施工中に高くなった場合には、連結ユニット１Ｄと中間フレームユニット１Ｃを段階的に撤去することで、フレーム１の長さを短縮できる。詳しくは、本実施形態のフレーム１の長さ調節方法は、下部フレームユニット１Ｂに接続される下側の連結ユニット１Ｄと中間フレームユニット１Ｃを撤去する撤去工程と、撤去工程後に最も下側に位置する連結ユニット１Ｄに下部フレームユニット１Ｂを接続する接続工程とを含んでいる。この撤去工程と接続工程を交互に繰り返すことにより、法尻Ｇ３の標高に合わせて下部フレームユニット１Ｂを移設させることができる。
【０１０３】
以上、本発明の実施形態について説明したが、本発明の趣旨を逸脱しない範囲で適宜変更して実施できるのはいうまでもない。
本実施形態では、ダムサイトの法面Ｇ１上を搬送する場合を例示したが、ダムサイト以外の斜面上を搬送する場合にも本発明を適用することができる。
【符号の説明】
【０１０４】
１００  ベルトコンベヤ装置
Ｐ      搬送物
５      下ベルト
６      上ベルト
７      ベルト支持機構
７０    キャリアアイドラ
７０ｃ  第１センターローラ
７０ｄ  第１サイドローラ
７２    押えアイドラ
７２ａ  回動軸
７２ｂ  センターアーム
７２ｃ  第２センターローラ
７２ｆ  第２サイドローラ
７３    付勢手段
７３ｃ  ばね
Ｇ１    法面（斜面）
【図１】
0006622472.tif 000002
【図２】
0006622472.tif 000003
【図３】
0006622472.tif 000004
【図４】
0006622472.tif 000005
【図５】
0006622472.tif 000006
【図６】
0006622472.tif 000007
【図７】
0006622472.tif 000008
【図８】
0006622472.tif 000009
【図９】
0006622472.tif 000010
【図１０】
0006622472.tif 000011
【図１１】
0006622472.tif 000012
【図１２】
0006622472.tif 000013